(57)【要約】  無線通信ネットワークと通信するように構成された送受信器を備えたモバイルデバイスを動作させる方法が、モバイルデバイスに関連づけられたセンサを用いてモバイルデバイスの動きを検出するステップと、モバイルデバイスの動きを示す信号を生成するステップとを含む。補助センサ信号がモバイルデバイスのセンサに関連づけられた補助デバイスから受信され、次いで、マルチメディアオブジェクトがモバイルデバイスの動きと補助センサ信号とに応答して生成され、保存される。モバイルデバイスは、モバイルデバイスの動きを検出し、かつ、該モバイルデバイスの動きを示す信号を生成するセンサと、無線通信ネットワークと通信するように構成された送受信器と、補助デバイスから補助センサ信号を受信するように構成されたショートレンジの無線通信インタフェースとを含む。本デバイスは、モバイルデバイスの動きを示す信号と補助センサ信号とのうちの少なくともいずれかの信号に応答してマルチメディアオブジェクトを生成し、かつ、マルチメディアオブジェクトを保存するコントローラをさらに含む。
2010527188.tif 000002
【特許請求の範囲】
【請求項１】
モバイルデバイスを動作させる方法であって、
前記モバイルデバイスに関連づけられたセンサを用いて、無線通信ネットワークと通信するように構成された送受信器を有する前記モバイルデバイスの動きを検出し、前記モバイルデバイスの前記動きを示す信号を生成するステップと、
前記モバイルデバイスに関連づけられた補助デバイスのセンサから補助センサ信号を受信するステップと、
前記モバイルデバイスの前記動きと、前記補助センサ信号との少なくともいずれかに応答してマルチメディアオブジェクトを生成するステップと、
前記マルチメディアオブジェクトを保存するステップと、
を含むことを特徴とする方法。
【請求項２】
合成入力信号を形成するために、前記モバイルデバイスの前記動きを示す信号を前記補助センサ信号と合成するステップをさらに含み、
前記マルチメディアオブジェクトを生成する前記ステップは、前記合成入力信号に応答して実行されることを特徴とする請求項１に記載の方法。
【請求項３】
前記モバイルデバイスの前記動きを示す信号及び前記補助センサ信号を遠隔端末へ送信するステップをさらに含み、
合成入力信号を形成するために、前記モバイルデバイスの前記動きを示す信号を前記補助センサ信号と合成する前記ステップは、前記遠隔端末において実行されることを特徴とする請求項２に記載の方法。
【請求項４】
前記補助センサ信号は前記補助デバイスの動きを示す信号を含むことを特徴とする請求項１ないし３のいずれか１項に記載の方法。
【請求項５】
前記マルチメディアオブジェクトを生成する前記ステップは、前記モバイルデバイスの前記動きと、前記補助センサ信号と、前記補助デバイスの動きを示す信号とに応答して、前記マルチメディアオブジェクトを生成するステップを含むことを特徴とする請求項１ないし４のいずれか１項に記載の方法。
【請求項６】
前記マルチメディアオブジェクトは、音声ファイル、画像ファイル、ビデオ・ファイルのうちの少なくともいずれかのファイルを含み、
前記方法は、前記モバイルデバイスと前記補助デバイスとの少なくともいずれかを用いて、前記マルチメディアオブジェクトを再生するステップをさらに含むことを特徴とする請求項１ないし５のいずれか１項に記載の方法。
【請求項７】
前記マルチメディアオブジェクトを遠隔端末へ送信するステップと、
前記マルチメディアオブジェクトを前記遠隔端末に保存するステップと
をさらに含むことを特徴とする請求項１ないし６のいずれか１項に記載の方法。
【請求項８】
ＲＦ又は赤外線の通信インタフェースを含むショートレンジの無線通信インタフェースを用いて、前記補助センサ信号を前記モバイルデバイスへ送信するステップをさらに含むことを特徴とする請求項１ないし７のいずれか１項に記載の方法。
【請求項９】
前記モバイルデバイスの前記動きを検出する前記ステップに先立って、前記モバイルデバイスをマルチメディアコンテンツ生成モードとするステップを
さらに含むことを特徴とする請求項１ないし８のいずれか１項に記載の方法。
【請求項１０】
前記マルチメディアコンテンツ生成モードにおいて、前記モバイルデバイスは、着呼の通知に応答してビジー状態信号を前記ネットワークへ送信するためと、前記無線通信ネットワークを介して受信した着呼を呼転送番号とボイスメールとの少なくともいずれかへ転送するためとの少なくともいずれかのために、前記無線通信ネットワークからの着呼アラートに応答しないように構成されることを特徴とする請求項９に記載の方法。
【請求項１１】
前記マルチメディアオブジェクトのオブジェクトタイプを選択するステップと、
前記モバイルデバイス及び前記補助デバイスの入力タイプを選択するステップとをさらに含むことを特徴とする請求項１ないし１０のいずれか１項に記載の方法。
【請求項１２】
モバイルデバイスを動作させる方法であって、
既存のマルチメディアオブジェクトを取得するステップと、
前記モバイルデバイスに関連づけられたセンサを用いて、無線通信ネットワークと通信するように構成された送受信器を備えた前記モバイルデバイスの動きを検出し、前記モバイルデバイスの前記動きを示す信号を生成するステップと、
前記モバイルデバイスに関連づけられた補助デバイスの入力に応答して補助センサ信号を受信するステップと、
修正されたマルチメディアオブジェクトを生成するために、前記モバイルデバイスの前記動きと前記補助センサ信号との少なくともいずれかに応答して前記既存のマルチメディアオブジェクトを修正するステップと、
前記修正されたマルチメディアオブジェクトを保存するステップと、
を含むことを特徴とする方法。
【請求項１３】
合成入力信号を形成するために、前記モバイルデバイスの前記動きを示す信号を前記補助センサ信号と合成するステップをさらに含み、
前記マルチメディアオブジェクトを修正する前記ステップは、前記合成入力信号に応答して実行されることを特徴とする請求項１２に記載の方法。
【請求項１４】
前記補助センサ信号は前記補助デバイスの動きを示す信号を含むことを特徴とする請求項１２または１３に記載の方法。
【請求項１５】
モバイルデバイスであって、
前記モバイルデバイスの動きを検出し、前記モバイルデバイスの動きを示す信号を生成するように構成されたセンサと、
無線通信ネットワークと通信するように構成された送受信器と、
補助デバイスから補助センサ信号を受信するように構成されたショートレンジの無線通信インタフェースと、
前記モバイルデバイスの前記動きを示す信号と、前記補助センサ信号とのうちの少なくともいずれかの信号に応答してマルチメディアオブジェクトを生成し、前記マルチメディアオブジェクトを保存するように構成されたコントローラと、
を備えることを特徴とするモバイルデバイス。
【請求項１６】
前記コントローラは、合成入力信号を形成するために、前記モバイルデバイスの前記動きを示す信号を前記補助センサ信号と合成し、前記合成入力信号に応答して前記マルチメディアオブジェクトを生成するようにさらに構成されたことを特徴とする請求項１５に記載のモバイルデバイス。
【請求項１７】
前記コントローラは、前記モバイルデバイスをマルチメディアコンテンツ生成モードとするように構成され、該生成モードにおいて、前記モバイルデバイスは、着呼の通知に応答してビジー状態信号を前記無線通信ネットワークへ送信するためと、前記無線通信ネットワークを介して受信した着呼を呼転送番号とボイスメールとの少なくともいずれかへ転送するためとの少なくともいずれかのために、前記無線通信ネットワークからの着呼アラートに応答しないように構成されたことを特徴とする請求項１５または１６に記載のモバイルデバイス。
【請求項１８】
前記コントローラは、前記モバイルデバイスの前記動きを示す信号と、前記補助センサ信号と、前記補助デバイスの動きを示す信号とに応答して、前記マルチメディアオブジェクトを生成するように構成されたことを特徴とする請求項１５ないし１７のいずれか１項に記載のモバイルデバイス。
【請求項１９】
前記コントローラは、既存のマルチメディアオブジェクトを取得し、前記モバイルデバイスの前記動きを示す信号と前記補助センサ信号とに応答して前記既存のマルチメディアオブジェクトを修正するように構成されたことを特徴とする請求項１５ないし１８のいずれか１項に記載のモバイルデバイス。
【請求項２０】
前記センサは、第１の軸線に沿った直線的動きと、前記第１の軸に直交する第２の軸線に沿った回転する動きとを検知するように構成された一対の並列センサを含む動きセンサを備え、
前記動きセンサは、前記モバイルデバイスの前記動きを示す信号を生成するように構成されたことを特徴とする請求項１５ないし１９のいずれか１項に記載のモバイルデバイス。
【発明の詳細な説明】
【技術分野】
【０００１】
本発明は、電子装置及びそれを操作する方法に関し、より詳細には、モバイルデバイスのユーザ入力及びその方法に関する。
【背景技術】
【０００２】
モバイル端末等のモバイル電子装置は、ますます多様な通信、マルチメディア、及びデータ処理機能の少なくとも１つを提供しつつある。例えば、携帯電話機、携帯情報端末、ラップトップ・コンピュータ等のモバイル端末のうちの少なくともいずれかは、テキスト、写真、音楽、及びビデオの少なくとも１つを含む多彩なマルチメディア形式のデータを記憶したり、それにアクセスしたりすることができる。
【０００３】
さらに、多くのモバイル端末が、マルチメディアコンテンツを作成するために用いることができるセンサを含んでいる。例えば、携帯電話機のような多くのモバイル端末は、デジタル動画並びにデジタル静止画像を作成することができるデジタルカメラ機能を装備している場合がある。デジタルカメラを使用して撮った画像をモバイル端末に表示する際にキーパッドを使用する場合、表示画像の選択と操作との少なくともいずれかを行うことが可能な場合もある。しかし、デジタル画像のようなコンテンツの操作を容易にするために、モバイルデバイスが、接触、光、動きのうちの少なくとも１つに反応するセンサ装置等の、従来とは異なる入力装置を含む場合もある。
【０００４】
特に、モバイルデバイスは、傾きセンサ及び加速度計等の少なくとも１つの動きセンサを含む場合がある。この場合、モバイルデバイスには、それらの機能の操作とデータ操作との少なくともいずれかの操作に活用するアプリケーションが含まれてもよい。例えば、装置筐体を傾けたり振ったりすることにより、モバイルデバイスのメニューを辿ったり、選択できるようにしたりすることが知られている。同様に、１以上の画面登場人物等を操作するために装置筐体の予め定められた動きを利用する、モバイルデバイス上のビデオゲームが知られている。さらに具体的には、装置筐体を傾けることにより、ユーザは、画面登場人物を８方向中の１つの方向へ移動させることができる。両方の場合において、動きセンサが装置筐体の運動を判断し、当該運動に対応した所望の行動を実行することができる。
【発明の概要】
【０００５】
本発明のいくつかの実施形態は、無線通信ネットワークと通信するように構成された送受信器を備えたモバイルデバイスを動作させる方法を提供する。本方法は、モバイルデバイスに関連づけられたセンサを用いてモバイルデバイスの動きを検出するステップと、モバイルデバイスの動きを示す信号を生成するステップとを含む。補助センサ信号がモバイルデバイスのセンサに関連づけられた補助デバイスから受信され、次いで、マルチメディアオブジェクトが、モバイルデバイスの動きと補助センサ信号との少なくともいずれかに応答して生成される。マルチメディアオブジェクトは保存される。
【０００６】
これらの方法は、合成入力信号を形成するために、モバイルデバイスの動きを示す信号を補助センサ信号と合成するステップをさらに含むものであってもよく、マルチメディアオブジェクトを生成するステップは、この合成済みの入力信号に応答して実行することができる。
【０００７】
これらの方法は、モバイルデバイスの動きを示す信号と補助センサ信号とを遠隔端末へ送信するステップをさらに含むものであってもよい。合成された入力信号を形成するために、モバイルデバイスの動きを示す信号を補助センサ信号と合成するステップは遠隔端末において実行することができる。
【０００８】
補助センサ信号は補助デバイスの動きを示す信号を含んでもよい。マルチメディアオブジェクトを生成するステップは、モバイルデバイスの動きと、補助センサ信号と、補助デバイスの動きを示す信号とに応答してマルチメディアオブジェクトを生成するステップを含んでもよい。
【０００９】
上記マルチメディアオブジェクトは、音声ファイルと、画像ファイルと、ビデオ・ファイルとのうちの少なくともいずれかのファイルを含んでもよく、かつ、これらの方法は、モバイルデバイスと補助デバイスとの少なくともいずれかのデバイスを用いてマルチメディアオブジェクトを再生するステップをさらに含むものであってもよい。
【００１０】
これらの方法は、マルチメディアオブジェクトを遠隔端末へ送信するステップと、マルチメディアオブジェクトを遠隔端末に保存するステップとをさらに含むものであってもよい。
【００１１】
これらの方法は、ＲＦ又は赤外線通信インタフェースを含むショートレンジの無線通信インタフェースを用いて、補助センサ信号をモバイルデバイスへ送信するステップをさらに含むものであってもよい。
【００１２】
これらの方法は、モバイルデバイスの動きを検出するステップに先立って、モバイルデバイスをマルチメディアコンテンツの生成モードに置くステップをさらに含むものであってもよい。マルチメディアコンテンツ生成モードにおいて、モバイルデバイスは、着呼の通知に応答して「ビジー」状態信号をネットワークへ送信するためと、無線通信ネットワークを介して、受信済みの着呼を呼転送番号とボイスメールとの少なくともいずれかへ転送するためとの少なくともいずれかを行うために、無線通信ネットワークからの着呼アラートに応答しないように構成することができる。
【００１３】
これらの方法はマルチメディアオブジェクトに対応するオブジェクトタイプを選択するステップと、モバイルデバイス及び補助デバイスに対応する入力タイプを選択するステップとをさらに含むものであってもよい。
【００１４】
本発明の別の実施形態に係るモバイルデバイスを動作させる方法は、既存のマルチメディアオブジェクトを取り出すステップと、無線通信ネットワークと通信するように構成された送受信器を備えたモバイルデバイスの動きを検出するステップと、モバイルデバイスに関連づけられたセンサを用いるステップと、モバイルデバイスの動きを示す信号を生成するステップと、を含む。これらの方法は、モバイルデバイスに関連づけられた補助デバイスの入力信号に応答して補助センサ信号を受信するステップと、モバイルデバイスの動きと、修正済みのマルチメディアオブジェクトを生成するための補助センサ信号とのうちの少なくともいずれかに応答して、既存のマルチメディアオブジェクトを修正するステップと、該修正済みのマルチメディアオブジェクトを保存するステップとをさらに含む。
【００１５】
これらの方法は、合成入力信号を形成するために、モバイルデバイスの動きを示す信号を補助センサ信号と合成するステップをさらに含むことができ、マルチメディアオブジェクトを修正するステップは、上記合成済みの入力信号に応答して実行することができる。
【００１６】
補助センサ信号は補助デバイスの動きを示す信号を含んでもよい。
【００１７】
いくつかの実施形態に係るモバイルデバイスは、モバイルデバイスの動きを検出し、かつ、モバイルデバイスの動きを示す信号を生成するように構成されたセンサと、無線通信ネットワークと通信するように構成された送受信器と、補助デバイスから補助センサ信号を受信するように構成されたショートレンジの無線通信インタフェースとを含む。上記デバイスは、モバイルデバイスの動きを示す信号と補助センサ信号との少なくともいずれかの信号に応答してマルチメディアオブジェクトを生成するように、かつ、マルチメディアオブジェクトを保存するように構成されたコントローラをさらに含む。
【００１８】
コントローラは、合成入力信号を形成するために、モバイルデバイスの動きを示す信号を補助センサ信号と合成し、かつ、この合成済みの入力信号に応答してマルチメディアオブジェクトを生成するようにさらに構成することができる。
【００１９】
コントローラは、モバイルデバイスをマルチメディアコンテンツ生成モードに置くように構成することができ、この生成モードにおいて、モバイルデバイスは、着呼の通知に応答して「ビジー」状態信号をネットワークへ送信するためと、無線通信ネットワークを介して受信された着呼を呼転送番号とボイスメールとの少なくともいずれかへ転送するためとの少なくともいずれかを行うために、無線通信ネットワークからの着呼アラートに応答しないように構成される。
【００２０】
コントローラは、マルチメディアオブジェクトを生成するステップが、モバイルデバイスの動きを示す信号と、補助センサ信号と、補助デバイスの動きを示す信号とに応答してマルチメディアオブジェクトを生成するように構成することができる。
【００２１】
コントローラは、既存のマルチメディアオブジェクトを取り出すように、かつ、モバイルデバイスの動きを示す信号と補助センサ信号とに応答して既存のマルチメディアオブジェクトを修正するように構成することができる。
【００２２】
センサは、第１の軸に沿った直線的動きと、第１の軸に直交する第２の軸線に沿った回転する動きとを検知するように構成された一対の並列センサを含む動きセンサを含んでもよい。そして、この動きセンサは、モバイルデバイスの動きを示す信号を生成するように構成される。
【００２３】
上述では、主に、方法及び装置の観点から説明したが、本発明は、方法、電子装置、及びコンピュータ・プログラムを記憶した記憶媒体の少なくとも１つとして実施してもよいことが理解されよう。
【図面の簡単な説明】
【００２４】
【図１】本発明の一の実施形態に係るモバイル端末を示すブロック図である。
【図２】本発明のいくつかの実施形態に係る補助デバイスを示すブロック図である。
【図３Ａ】本発明のいくつかの実施形態に係るモバイル端末と補助装置との少なくともいずれかの接続と運動との少なくともいずれかを示す。
【図３Ｂ】本発明のいくつかの実施形態に係るモバイル端末と補助装置との少なくともいずれかの接続と運動との少なくともいずれかを示す。
【図４】本発明のいくつかの実施形態に係るモバイルデバイスと補助デバイスとの少なくともいずれかのデバイスを操作する例示の方法を示すフローチャートである。
【発明を実施するための形態】
【００２５】
以下では、本発明の具体的な実施形態の一例について、添付の図面を参照しながら説明する。しかしながら、本発明は、多種多様な形態で実施することができ、ここで説明される実施形態に限定されるとみなされるべきではない。むしろ、これらの実施形態は、本開示が徹底的かつ完全であることを期し、本発明の範囲を当業者に十分に伝えるために提示するものである。添付の図面に示す特定の実施形態の例示について、この詳細な説明で使用される用語は、本発明の限定を意図するものではない。図面では、同一の番号は同一の要素を参照するものとする。
【００２６】
ここでの使用において、単数形表現は、そうでない旨を明示して断らない限り、複数形をも含むことを意図するものである。また、用語「含む」は、本明細書で使用された場合、述べられた特徴、整数、工程（ステップ）、動作、要素、構成要素とのうちの少なくともいずれかが存在することを示す。しかし、１以上の他の特徴、整数、工程、動作、要素、構成要素とそれらのグループの存在又は追加とのうちの少なくともいずれかを排除するものでないことを理解されたい。要素が他の要素に「接続される」と記載された場合、それは他の要素に直接に接続されてもよく、途中に他の要素が介在してもよいことは理解されよう。さらに、ここで使用される「接続される」という記載は、無線により接続されることを含む。ここでの使用において、用語「と〜とのうちの少なくともいずれか」は、関連してリストされた項目の１以上の任意の及び全ての組合せを含み、「／」と略される場合もある。
【００２７】
別段の定めがない限り、ここで使用される全ての用語（技術的及び科学的な用語を含む）は、本発明が属する分野の当業者により一般に理解されるものと同様の意味を持つ。一般に使用される辞書に定義されるような用語は、関連分野における意味と一貫した意味を持つように解釈されるべきであり、ここで明示的にそのように定義されない限り、理想化又は過度に形式的な意味合いでの解釈を期するものでないことも理解されよう。
【００２８】
本発明は、方法、電子装置、コンピュータ・プログラムを記憶した記憶媒体のうちの少なくともいずれかとして実施されてもよい。したがって、本発明は、ハードウェアとソフトウェア（ファームウェア、常駐ソフトウェア、マイクロコード等を含む）とのうちの少なくともいずれかで実施されてもよい。さらに、本発明は、コンピュータで使用可能な又はコンピュータ可読型の記憶媒体上のコンピュータ・プログラムの形態をとってもよい。それは、媒体中に具体化されたコンピュータで使用可能な又はコンピュータ可読型のプログラム・コードを有し、また、その媒体は、命令実行システムによって又はそれと接続して使用される。本文書の文脈において、コンピュータで使用可能な又はコンピュータ可読型の媒体は、プログラムを収容し、記憶し、又は運搬することができ、命令実行システムや装置等により又はそれに接続して使用できる任意の媒体であってもよい。
【００２９】
コンピュータで使用可能な又はコンピュータ可読型の媒体は、例えば、電子的、磁気的、光学的、電気磁気的、赤外もしくは半導体のシステム、装置、又は伝搬用媒体であってもよいが、これに限定されるものではない。コンピュータ可読型媒体のより具体的な事例は（網羅的なリストではないが）以下のものを含む。１以上の線（ワイヤ）を有する電気的接続、可搬型コンピュータ・ディスケット、ランダム・アクセス・メモリ（ＲＡＭ）、読み出し専用メモリ（ＲＯＭ）、消去可能プログラマブル読み出し専用メモリ（ＰＲＯＭ又はフラッシュ・メモリ）、光ファイバ、及びコンパクト・ディスク読み出し専用メモリ（ＣＤ−ＲＯＭ）である。
【００３０】
コンピュータで使用可能な又はコンピュータ可読型の媒体は、プログラムを印刷できる紙又はその他の適当な媒体であってもよいことに注意されたい。というのは、プログラムは、例えば、紙又はその他の媒体を光学的に走査して電子的に読み取ることができ、それからコンパイルされ、解釈され、又は必要に応じてその他の適切な方法で処理され、そして、コンピュータ・メモリに記憶できるからである。モバイル端末はまた一般的なコンピュータ装置を示してもよい。
【００３１】
本書面において“無線端末”との語が使用される場合、マルチラインディスプレイを有する（又は有しない）衛星或いはセルラー無線電話と、データ処理機能、ファクシミリ機能及びデータ通信機能を携帯電話機と結合したところの個人用通信システム（Personal Communications System:PCS）端末と、無線電話機能、ページャー機能、インターネット／イントラネット接続機能、ウェブブラウザ機能、オーガナイザー機能、カレンダー機能及びＧＰＳ受信機能の少なくとも何れかを含むことのできるＰＤＡ（Personal Digital Assistant）と、無線電話送受信機能を有する従来的なラップトップ及びパームトップ携帯型コンピュータの少なくとも何れかと、のうち少なくとも何れかを含む概念として使用されることは、理解されるべきである。
【００３２】
ここでは、本発明の実施形態を説明するために、モバイル端末について説明する。しかし、本発明はこのような実施形態に限定されるものではなく、一般にはデータ記憶機能を含む任意の電子装置として実施されてよいことは理解されよう。
【００３３】
図１は、本発明の一の実施形態に係るモバイル端末１００を示すブロック図である。図１に示すように、モバイル端末１００は、筐体１９５に含まれる、送受信器１２５、メモリ１３０、スピーカ１３５、コントローラ／プロセッサ１４０、動きセンサ１９０、カメラ１９２、（液晶ディスプレイのような）ディスプレイ１１０、ショートレンジの通信インタフェース１１５、及びユーザ入力インタフェース１５５を含む。送受信器１２５は、通常、送信回路１５０及び受信回路１４５を含み、それらが協働して、アンテナ１６５を介して無線周波数信号を基地局送受信器へ送信し、そこから受信する。モバイル端末１００と基地局送受信器との間を伝送される無線周波数信号は、トラヒック信号及び制御信号の両方（例えば、着呼用の呼び出し信号／メッセージ）を含んでもよく、それらは、相手側又は宛先との通信を確立し維持するために使用される。無線周波数信号はまた、例えば、汎用パケット無線サービス（ＧＰＲＳ）情報等のパケット・データ情報を含んでもよい。
【００３４】
ショートレンジの通信インタフェース１１５は、赤外線（ＩＲ）端子を介して赤外線信号を他の電子装置へ／から送信／受信するように構成された赤外線送受信器と、ブルートゥース（登録商標）（ＢＴ）送受信器とのうちの少なくともいずれかを含んでもよい。ショートレンジの通信インタフェースはまた、ＵＳＢインタフェースとＩＥＥＥ１３９４／ファイヤーワイヤ通信インタフェースとのうちの少なくともいずれかのような有線のデータ通信インタフェースを含むこともできる。
【００３５】
メモリ１３０は、揮発性フラッシュ・メモリ及び、取り外し可能なフラッシュ・メモリ、磁気メモリ、光学的メモリのうちの少なくともいずれかに書き換え可能な不揮発性メモリ等の不揮発性の少なくとも１つのメモリを含む場合もあるメモリ階層を表してもよい。ユーザ入力インタフェース１５５は、マイク１２０、ジョイスティック１７０、キーボード／キーパッド１０５、タッチパネル・ディスプレイ１６０、ダイヤル１７５、方向キー１８０、ポインティング・デバイス１８５（マウス、トラックボール、タッチパッド等）のうちの少なくともいずれかを含む場合もある。しかし、モバイル端末１００が提供する特有の機能によっては、ユーザインタフェース１５５は、実際にはさらに別の構成要素とより少ない構成要素とのうちの少なくともいずれかの構成要素を装備する場合もある。例えば、タッチパネル・ディスプレイ１６０は、ディスプレイ１１０、キーボード１０５、ポインティング・デバイス１８５のうちの少なくともいずれかを含まないＰＤＡに装備されてもよい。
【００３６】
コントローラ／プロセッサ１４０は、送受信器１２５、メモリ１３０、スピーカ１３５、動きセンサ１９０及びユーザインタフェース１５５に接続される。コントローラ／プロセッサ１４０は、例えば、市販の又は特注のマイクロプロセッサ（又は複数プロセッサ）であってもよい。コントローラ／プロセッサ１４０は、送受信器１２５、メモリ１３０、スピーカ１３５、動きセンサ１９０とユーザインタフェース１５５のうちの少なくともいずれかの動作を調整及び管理するように構成される。モバイル端末１００の多様な通常操作におけるそれらの役割に関しては、モバイル端末１００の上述の構成要素は多くの通常のモバイル端末に含まれるものであり、それらの機能は当業者に広く知られている。
【００３７】
コントローラ１４０は、メモリ１３０及び動きセンサ１９０をアドレス／データ・バスを介して通信するように構成される。メモリ１３０は、オペレーティング・システム、アプリケーション・プログラム、入出力装置ドライバ及びデータ等、幾つかのカテゴリのソフトウェア、データのうちの少なくともいずれかを記憶するように構成することができる。オペレーティング・システムは、システム資源の管理と操作との少なくともいずれかを制御し、また、コントローラ１４０によりアプリケーションとその他のプログラムとの少なくともいずれかの実行を調整してもよい。入出力装置ドライバは、通常、ユーザインタフェース１５５に含まれるような入出力装置と、メモリ１３０のその他の構成要素のような入出力装置とのうちの少なくともいずれかと通信するために、アプリケーション・プログラムによりオペレーティング・システムを通してアクセスされるソフトウェア・ルーチンを含む。データは、アプリケーション・プログラムとオペレーティング・システムとの少なくともいずれかによって使用される多様なデータを含んでもよい。より具体的には、本発明の一の実施形態によれば、データは、例えば、動きセンサ１９０によって生成される動きデータを含んでもよい。
【００３８】
さらに図１を参照すると、動きセンサ１９０は、筐体１９５の予め定義された局所運動を検知するように構成される。特に、動きセンサ１９０は、１以上の軸線に沿うか、１以上の軸線の周りかの少なくともいずれかに配置された１以上の加速度計の動きを検出するように構成されたモバイル端末１００を含んでもよい。
【００３９】
例えば、動きセンサ１９０は、モバイルデバイスの筐体１９５の動き、捻じれ、傾き、振動、揺らぎ、スナップのうちの少なくともいずれかを検知するように構成された１以上の加速度計センサと傾きセンサとのうちの少なくともいずれかのセンサを含むものであってもよい。モバイルデバイスの筐体１９５の運動は、モバイルデバイス１００のメモリ１３０に記憶されたデフォルトの予め定義された運動に対応するものであってもよく、又は、ユーザが定義した運動であってもよい。動きセンサ１９０は、予め定義された局所運動を検知するように構成されたものであってもよい。
【００４０】
例えば、モバイルデバイスの筐体１９５の予め定義された局所運動の検知時に、動きセンサ１９０は検知済みの予め定義された局所運動に対応する１以上のパラメータを生成してもよい。これらのパラメータは、一次デバイスの動きデータとしてメモリ１３０に記憶されてもよい。
【００４１】
図１は、モバイルデバイスとその他の電子装置とのうちの少なくともいずれかにおいてその動作を制御するために使用できる例示のハードウェア／ソフトウェアの構成を示すが、本発明は、そのような構成に限定されるものではなく、ここに説明される動作を遂行できる任意の構成を包含することを意図するものであることは理解されよう。例えば、メモリ１３０は、コントローラ１４０とは別物として示されているが、メモリ１３０又はその一部は、コントローラ１４０の一部とみなされてもよい。より一般的には、説明のために特定の機能が特定のブロック中に示されているが、他のブロックの機能とその一部とのうちの少なくともいずれかの組み合わせと、分割と、抹消とのうちの少なくともいずれかが行われてもよい。さらに、図１のハードウェア／ソフトウェア構成の機能は、本発明の多様な実施形態によれば、単一プロセッサ又は多重プロセッサ・システムとして実現されてもよい。
【００４２】
図２は本発明のいくつかの実施形態に係る補助デバイス２００を例示するブロック図である。いくつかの実施形態によれば、補助デバイス２００は、モバイル端末１００と共に使用されて、マルチメディアオブジェクトをマルチメディアオブジェクト生成モードで生成するために組み合わせることができる座標動き／センサデータを作成するようにしてもよい。
【００４３】
図２に示すように、補助デバイス２００は、筐体２９５に含まれる、メモリ２３０、スピーカ２３５、コントローラ／プロセッサ２４０、動きセンサ２９０、カメラ２９２、（液晶ディスプレイのような）ディスプレイ２２０、ショートレンジの通信インタフェース２１５、及びユーザ入力インタフェース２５５を含んでもよい。
【００４４】
ショートレンジの通信インタフェース２１５は、赤外線（ＩＲ）端子を介して赤外線信号を他の電子装置へ／から送信／受信するように構成された赤外線送受信器と、ブルートゥース（登録商標）（ＢＴ）送受信器とのうちの少なくともいずれかを含んでもよい。ショートレンジの通信インタフェースはまた、ＵＳＢインタフェースとＩＥＥＥ１３９４／ファイヤーワイヤ通信インタフェースとのうちの少なくともいずれかのような有線のデータ通信インタフェース又は他の有線の通信インタフェースを含むこともできる。特に、ショートレンジの通信インタフェース２１５は、補助デバイス２００がショートレンジにわたってモバイル端末１００と通信することを可能にすることができる。
【００４５】
メモリ２３０は、揮発性フラッシュ・メモリ及び、取り外し可能なフラッシュ・メモリ、磁気メモリ、光学的メモリのうちの少なくともいずれかのメモリに書き換え可能な不揮発性メモリ等の不揮発性メモリの少なくとも１つのメモリを含む場合もあるメモリ階層を表してもよい。ユーザ入力インタフェース２５５は、マイク２２０、ジョイスティック２７０、キーボード／キーパッド２０５、タッチパネル式ディスプレイ２６０、ダイヤル２７５、（単複の）指向性キー２８０、ギターアーム２８７、（マウス、トラックボール、タッチパッドのような）ポインティング・デバイス２８５のうちの少なくともいずれかのようなセンサを含む入力装置を含んでもよい。しかし、モバイル端末２００が提供する特有の機能によっては、ユーザインタフェース２５５は、実際にはさらに別の構成要素と、より少ない構成要素との少なくともいずれかの構成要素を装備する場合もある。例えば、タッチパネル・ディスプレイ２６０は、ディスプレイ２１０、キーボード２０５、ポインティング・デバイス２８５のうちの少なくともいずれかを含まないＰＤＡに装備されてもよい。
【００４６】
コントローラ／プロセッサ２４０は、送受信器２２５、メモリ２３０、スピーカ２３５、動きセンサ２９０及びユーザインタフェース２５５に接続される。コントローラ／プロセッサ２４０は、例えば、市販の又は特注のマイクロプロセッサ（又は複数プロセッサ）であってもよい。コントローラ／プロセッサ２４０は、送受信器２２５、メモリ２３０、スピーカ２３５、動きセンサ２９０とユーザインタフェース２５５のうちの少なくともいずれかの動作を調整及び管理するように構成される。
【００４７】
コントローラ２４０は、メモリ２３０及び動きセンサ２９０をアドレス／データ・バスを介して通信するように構成される。メモリ２３０は、ソフトウェアとデータとの少なくともいずれかを記憶するように構成することができる。例えば、メモリ２３０は、動きセンサ２９０などによって生成される補助デバイス２００の局所運動を示す動きデータを記憶するように構成することができる。
【００４８】
さらに図２を参照すると、動きセンサ２９０は、筐体２９５の予め定義された局所運動を検知するように構成される。特に、動きセンサ２９０は、１以上の軸線に沿うか、１以上の軸線の周りかの少なくともいずれかに配置された１以上の加速度計の動きを検出するように構成されたモバイル端末２００を含んでもよい。
【００４９】
例えば、動きセンサ２９０は、モバイルデバイスの筐体２９５の動き、捻じれ、傾き、振動、揺らぎ、スナップのうちの少なくともいずれかを検知するように構成された加速度計センサと、傾きセンサとの少なくともいずれかのセンサを含むものであってもよい。モバイルデバイスの筐体２９５の運動は、モバイルデバイス２００のメモリ２３０に記憶されたデフォルトの予め定義された運動に対応するものであってもよく、又は、ユーザが定義した運動であってもよい。動きセンサ２９０は、予め定義された局所運動を検知するように構成されたものであってもよい。
【００５０】
例えば、モバイルデバイスの筐体２９５の予め定義された局所運動の検知時に、動きセンサ２９０は検知済みの予め定義された局所運動に対応する１以上のパラメータを生成してもよい。補助デバイスの動きデータを含むことができるこれらのパラメータは、メモリ２３０に記憶されるか、ショートレンジの通信インタフェース２９５を介してモバイルデバイス１００へ送信されることができる。
【００５１】
図１及び図２を参照して上述した装置の動作を遂行するためのコンピュータ・プログラム・コードは、開発の便宜上、Ｊａｖａ（登録商標）、Ｃ、Ｃ＋＋等の高級プログラミング言語のうちの少なくともいずれかで記述されてもよい。さらに、本発明の実施形態の動作を遂行するためのコンピュータ・プログラム・コードは、インタープリタ言語等の、これに限定されるものではないが、他のプログラミング言語で記述されてもよい。あるモジュール又はルーチンは、性能及びメモリ使用効率の向上のため、アセンブリ言語又はマイクロコードで記述されてもよい。いずれかの又は全てのプログラム・モジュールの機能はまた、個別ハードウェア部品、１以上の特定用途向け集積回路（ＡＳＩＣ）、又はプログラムされたデジタル信号プロセッサ又はマイクロコントローラを使用して実現されてもよいことは理解されよう。
【００５２】
図３Ｂに示すように、モバイル端末１００と補助デバイス２００とは無線のショートレンジ通信リンク３１０を介して互いに通信することができる。いくつかの実施形態において、無線ショートレンジ通信リンク３１０は、モバイル端末１００と補助デバイス２００とが非見通し線通信リンクを介する通信を許可することができるブルートゥースリンクのようなショートレンジのＲＦ通信リンクを含んでもよい。モバイル端末１００は、図３に示すように表示画面１１０とキーパッド１０５とを含んでもよい。しかし、モバイル端末１００は図１に示すＩ／Ｏ装置のような他のＩ／Ｏ装置を含んでもよい。補助デバイス２００はカメラ２９２と指向性制御ボタン２８０とを含んでもよい。しかし、補助デバイス２００は図２に示すＩ／Ｏ装置のような他のＩ／Ｏ装置を含んでもよい。
【００５３】
モバイル端末１００と補助デバイス２００とは、ユーザが片手にそれぞれ１つの装置を同時に把持できるような大きさにすることができる。
【００５４】
モバイル端末１００はまた、通信リンク３１２をマルチメディア端末３０５と確立することができる。送受信器１２５と、ショートレンジの通信インタフェース１１５との少なくともいずれかを用いて、通信リンク３１２を確立することができる。したがって、マルチメディア端末３０５の所在位置をモバイル端末１００と、補助端末２００との少なくともいずれかの近くで検知できる場合もあれば、検知できない場合もある。
【００５５】
図３に示すように、モバイル端末１００と補助デバイス２００とは有線のショートレンジの通信リンク３２０を介して互いに通信することができる。いくつかの実施形態において、有線のショートレンジの通信リンク３２０は、ＵＳＢとファイヤーワイヤ（Firewire）接続との少なくともいずれかを含むか、あるいは、モバイル端末１００と補助デバイス２００とに接続されているアダプタ３１５を介して作成することができる他の有線の通信リンクを含んでもよい。
【００５６】
図３Ｂは、モバイル端末１００の動きセンサ１９０と、補助デバイス２００の動きセンサ２９０との少なくともいずれかのセンサによって検出できるいくつかの生じる可能性のある運動を示す図である。例えば、モバイル端末１００と補助デバイス２００との少なくともいずれかは、ｘ軸、ｙ軸、ｚ軸に沿った並進運動と、ｘ軸、ｙ軸、ｚ軸の周りでの回転する動きとの少なくともいずれかの運動を行うことができ、このような運動は動きセンサ１９０、２９０によって検出することができる。
【００５７】
軸線に沿った動きを検出するために、モバイル端末と、補助デバイスの筐体との少なくともいずれかにおいて加速度計のような動きセンサを設けることができ、軸線に沿って位置合わせを行うことができる。したがって、３つの座標軸に沿って直線的動きを検出するために３つのセンサを用いることができる。しかし、軸線の周りの回転する動きを検出するためには、軸線に対して垂直な平面に２つの並列の直線一次加速度計を設けることが望ましい場合がある。例えば、ｚ軸の周りでの回転運動を検出するために、ｘ−ｙ平面において加速度計を配置することができる。したがって、ｘ軸、ｙ軸、ｚ軸に対する相対的な回転運動と並進運動の双方を検出するために、モバイル端末１００と補助デバイス２００との少なくともいずれかに６つの加速度計（すなわち、各軸毎に２つの並列な加速度計）を設けることが望ましい場合がある。
【００５８】
上述したように、モバイル端末１００の運動はメモリ１３０に記憶することができるモバイル端末１００の一次デバイスの動きデータに変換することができる。ユーザ入力デバイスの起動と補助デバイス２００の運動との少なくともいずれかは、補助デバイスのセンサデータに変換することが可能であり、該補助デバイスのセンサデータは、補助デバイス２００のメモリ２３０に記憶することができるか、ショートレンジの通信リンク３１０、３２０を介してモバイル端末１００へ送信することができるかの少なくともいずれかを行うことができる。補助デバイスのセンサデータは、モバイル端末１００によってメモリ１３０に記憶することができる。いくつかの実施形態では、補助デバイスのセンサデータは一次デバイスの動きデータと組み合わせることができ、この組み合わされたモバイル端末１００のデータはメモリ１３０に記憶することができる。
【００５９】
一次デバイスの動きデータと、補助デバイスのセンサデータ（又は組み合されたデータ）とは、オーディオオブジェクト、画像オブジェクト、ビデオオブジェクトのうちの少なくともいずれかのオブジェクトのようなマルチメディアオブジェクトを生成するためにアプリケーション・プログラムによって使用されてもよい。マルチメディアオブジェクトは単に動きデータから生成されるか、以前から存在するマルチメディアオブジェクトを動きデータに基づいて修正することによって生成されるかの少なくともいずれかを行うことが可能である。例えば、音楽の和音のようなオーディオオブジェクトは動きデータに応答して変調されることができる。同様に、ビデオオブジェクトは、動きデータに応答して生成と、操作と、修正とのうちの少なくともいずれかを行うこができる。例えば、ビデオオブジェクトのカラー、ズーム、透視図、スキューのようなビデオオブジェクトの属性は動きデータに応答して修正されることができる。
【００６０】
次いで、マルチメディアオブジェクトは、例えば、モバイル端末１００、補助デバイス２００、マルチメディアサーバ３０５、他の位置／デバイスのうちの少なくともいずれかにおける保存と、表示／再生とのうちの少なくともいずれかを行うことができる。いくつかの実施形態では、マルチメディアオブジェクトは、例えば、モバイル端末１００と、補助デバイス２００と、マルチメディアサーバ３０５とのうちの少なくともいずれかにおいて同時に生成と、再生／表示とを行うことができる。例えば、いくつかの実施形態では、モバイル端末１００においてマルチメディアオブジェクトの生成を行うと同時に再生を行って、即時フィードバックをユーザへ提供するようにすることができる。いくつかの実施形態では、マルチメディアオブジェクトはモバイル端末１００において生成され、通信インタフェース３１０、３２０を介して、該マルチメディアオブジェクトを同時に再生することができる補助デバイス２００へ送信されるか、通信インタフェース３１２を介して、該マルチメディアオブジェクトを同時に再生することができるマルチメディアサーバ３０５へ送信されるかの少なくともいずれかの送信を行うことができる。
【００６１】
いくつかの実施形態は、モバイル端末１００と補助デバイス２００との少なくともいずれかの運動に基づいて、音声パターンと、画像パターンとの少なくともいずれかのパターンのような複雑なマルチメディアパターンの作成をユーザに許可することができる。特に、いくつかの実施形態は、モバイル端末１００と補助デバイス２００との座標運動に基づく複雑なマルチメディアオブジェクトの生成をユーザに許可することができる。
【００６２】
本発明のいくつかの実施形態は、モバイル端末１００の座標化された運動と補助デバイス２００への入力信号とに応答してオーディオオブジェクトを生成するように構成することができる。例えば、装置のうちの１つの運動は、ビート又はテンポの制御を提供することができるのに対して、その他の装置の運動とセンサへの入力信号との少なくともいずれかはトーン／ピッチ制御を提供することができる。別例として、装置の運動／センサの入力信号はドラム、シンバル、鈴のような個々のパーカッション楽器に対応することができる。
【００６３】
したがって、１つの例として、ユーザはモバイルデバイス１００をマルチメディア生成モードに置くことができる。次いで、ユーザは、モバイル端末１００と、補助デバイス２００との少なくともいずれかの座標化された動きと、いずれかの装置からセンサへの入力信号とのうちの少なくともいずれかを通じて、オーディオオブジェクトのようなマルチメディアオブジェクトを生成することができる。すなわち、ユーザは、モバイル端末１００を移動させることができると共に、補助デバイス２００への入力信号の移動と、該入力信号の座標の形での提示との少なくともいずれかを行うことができる。さらに、モバイル端末１００の運動と、補助デバイス２００への運動と、センサの入力信号とのうちの少なくともいずれかは、それぞれの動きセンサ１９０、２９０と、ユーザ入力装置２５５との少なくともいずれかによって動きデータに変換することができる。この動きデータを用いて、オーディオオブジェクトを生成するために合成することができる対応するオーディオ信号を生成することができる。オーディオオブジェクトは、次いで、モバイルデバイス１００においてローカルに記憶されるか、将来アクセスするためにマルチメディアサーバ３０５などの遠隔地において記憶されるかの少なくともいずれかの記憶を行うことが可能である。
【００６４】
いくつかの実施形態では、ユーザはローカルにモバイル端末に記憶された、又は、遠隔操作によってサーバに記憶されたソングファイルのような既存のオーディオオブジェクトを選択することができ、かつ、スピーカ１３５を用いて歌を再生することができる。歌が再生されているとき、ユーザは、モバイル端末１００と補助デバイス２００との運動に応答してオーディオトラックを歌に追加することができる。すなわち、ユーザは、モバイル端末１００を動かすことができると共に、補助デバイス２００への入力信号の移動と、該入力信号の座標の形での提示との少なくともいずれかを行うことができる。さらに、モバイル端末１００の運動と、補助デバイス２００への運動と、入力信号とのうちの少なくともいずれかを、それぞれのセンサ１９０、２９０と、ユーザ入力装置２５５との少なくともいずれかによって動きデータに変換することができる。この動きデータを用いて、修正済みのオーディオオブジェクトを生成するために、既存のオーディオオブジェクトと合成することができる対応するオーディオ信号を生成することができる。この修正済みのオーディオオブジェクトは、次いで、モバイルデバイス１００においてローカルに記憶されるか、将来アクセスするためにマルチメディアサーバ３０５などの遠隔地において記憶されるかの少なくともいずれかを行うことが可能である。
【００６５】
したがって、例えば、モバイル端末１００は、歌に追加することができるドラム音に動きデータを変換するように構成することができ、それによって、ユーザはドラムのトラックを歌に追加することが可能となる。同様に、モバイル端末１００は、歌に追加することができるギター音に動きデータを変換するように構成することができ、それによって、ユーザはギターのトラックを歌に追加することが可能となる。
【００６６】
本発明のいくつかの実施形態によれば、個々に記憶され、その後合成することができる音声オブジェクトに動きデータを変換できることは理解できよう。同様に、動きデータを用いて、オーディオオブジェクトを反復して修正し、修正済みのオーディオオブジェクトを生成するようにすることができる。
【００６７】
例えば、ドラム生成モードにおいて、ユーザは、モバイル端末１００と補助デバイス２００とを用いて、これらデバイスの運動に応答してドラムのトラックを生成してもよい。ユーザは、次いで、ドラムのトラックを保存し、ドラムのトラックをギター生成モードへ切り替えることができる。ギター生成モードで、ユーザは、モバイル端末１００と補助デバイス２００とを用いて、これらデバイスの運動に応答してギタートラックを生成し、ギタートラックを事前に保存されたドラムのトラックと組み合わせることができる。このようにして、ユーザは種々の楽器に対応するオーディオをオブジェクトトラックに反復して追加して、最終的に完全な歌を構成することが可能となる。
【００６８】
上述したように、モバイル端末１００と補助デバイス２００との少なくともいずれかによって、例えば、図１及び図２に関連して上述した１以上のＩ／Ｏ装置を用いて動きデータ以外のデータを検知することができる。このような追加データは、マルチメディア信号に変換するか、マルチメディア信号を生成するために用いるかの少なくともいずれかを行うことができる。このマルチメディア信号は、動きデータに応答して生成済みのマルチメディア信号と組み合わせることができる。例えば、補助デバイス２００を動かす操作に加えて、ユーザは、動作モード、トーン、ピッチ、音量、又は生成中のオーディオオブジェクトの他の属性を変更できる１以上の指向性ボタン２８０を操作することができる。
【００６９】
マルチメディアコンテンツ処理は、モバイル端末１００においてと、マルチメディアサーバ３０５のような遠隔局においてとの少なくともいずれかにおいて行うことができる。マルチメディアコンテンツ処理はＪａｖａマルチメディアＡＰＩに従って実行することが可能であり、このＪａｖａマルチメディアＡＰＩは、Ｊａｖａマルチメディア規格ＪＳＲ−０００１３５と、Ｊａｖａ対応デバイス用のオーディオオブジェクト、ビデオオブジェクト及び静止画像のようなマルチメディアオブジェクトの再生及び記録を行うための標準インタフェースを規定するＪａｖａマルチメディア規格ＪＳＲ−０００２３４との少なくともいずれかの規格に規定されている。
【００７０】
動きイベントは、例えば、Ｊａｖａ対応デバイスに対応するセンサ情報の送受信用標準インタフェースを規定するＪａｖａマルチメディア規格ＪＳＲ−０００２５６を用いて、モバイル端末１００のセンサと補助デバイス２００のセンサとの少なくともいずれかのセンサから取り出すことができる。
【００７１】
以下では、本発明の一の実施形態による、方法、モバイル端末、電子装置、データ処理システム、コンピュータ・プログラムのうちの少なくともいずれかのフローチャートと、ブロック図との少なくともいずれかを参照しながら本発明について説明する。これらのフローチャートとブロック図との少なくともいずれかはさらに、本発明の多様な実施形態によるモバイルデバイスの操作方法を示す。フローチャートとブロック図との少なくともいずれかの各ブロック、及びフローチャートとブロック図との少なくともいずれかのブロックの組合せは、コンピュータ・プログラム命令と、ハードウェア動作との少なくともいずれかにより実現されてもよいことは理解されよう。これらのコンピュータ・プログラム命令は、汎用コンピュータ、特殊用途コンピュータ、又はその他の機械を作るためのプログラム可能なデータ処理装置のプロセッサに対して提供されてもよい。これにより、コンピュータ又はその他のプログラム可能なデータ処理装置のプロセッサを介して実行されるそれらの命令は、フローチャートとブロック図との少なくともいずれかのブロック又はブロック群で指定された機能を実現する手段を創出する。これらのコンピュータ・プログラム命令はまた、コンピュータ又はその他のプログラム可能なデータ処理装置に、特定の方法で機能／動作するよう指令できるコンピュータで使用可能な又はコンピュータ可読型のメモリに記憶されてもよい。
【００７２】
コンピュータ・プログラム命令はまた、コンピュータで実現されるプロセスを創出するために、一連の動作工程がコンピュータ又はその他のプログラム可能なデータ処理装置上で実行されるようにするため、コンピュータ又はその他のプログラム可能なデータ処理装置にロードされてもよい。
【００７３】
図４は本発明の一の実施形態に係るモバイルデバイスを操作するための例示の方法を示すフローチャートである。図４に示すように、モバイル端末１００がマルチメディアコンテンツ生成モードに置かれると、ブロック４０５から処理を開始する。マルチメディアコンテンツ生成モードでは、モバイル端末１００は、モバイル端末が登録されているセルラ通信ネットワークのようなネットワークからの着呼アラートに応答しないように構成することができる。同様に、マルチメディアコンテンツ生成モードにおいて、モバイル端末１００は、「ビジーな」状態信号を着呼の通知に応答してネットワークへ送信するように構成することができ、それによって、着呼がマルチメディアコンテンツの生成を中断しないようにすることができる。別の実施形態では、モバイル端末１００は、呼転送番号とボイスメールとの少なくともいずれかへ着呼を転送するように構成することができる。いくつかの実施形態では、モバイル端末１００は、着呼の受信時に無音リングトーンへ自動的に切り替えるか、マルチメディアコンテンツ生成モードに置かれている間、振動信号と、点滅光信号との少なくともいずれかの信号を出力するかの少なくともいずれかを行うように構成することができる。
【００７４】
ひとたび、モバイル端末１００がマルチメディアコンテンツ生成モードに置かれると、ユーザは、例えば、メニュースクリーン上で適当なオプションを選択することによって、新たなマルチメディアファイルの作成又は既存のマルチメディアオブジェクトの修正を選択することができる（ブロック４１０）。ユーザが新たなマルチメディアオブジェクトの生成を選択した場合、ユーザは（音声オブジェクト、映像オブジェクト、ビデオオブジェクトなどの）オブジェクトタイプを選択するように促される場合がある（ブロック４１２）。ユーザはまた、一次及び補助デバイス１００、２００を通じて作成される入力のタイプを選択してもよい。例えば、ユーザはドラムとして一次デバイス１００の使用を選択し、シンバルとして補助デバイス２００の使用を選択することができる。次に、一次デバイス１００と補助デバイス２００とは、ユーザによるこれらのデバイスの運動と入力装置の起動とに応答して一次入力信号及び補助入力信号の生成を開始する（ブロック４１５）。補助入力信号は補助デバイス２００によって一次デバイス１００へ送信される。
【００７５】
一次入力信号及び補助入力信号はオプションとして合成することができる（ブロック４２０）。いくつかの実施形態では、一次入力信号及び補助入力信号は、一次デバイス１００において合成入力信号を形成することができる。別の実施形態では、一次入力信号及び補助入力信号は、マルチメディア端末３０５を用いて通信リンク３１２を介して一次デバイス１００により転送されることができ（図３）、一次動き入力信号及び補助動き入力信号は、マルチメディア端末３０５において合成されるか、解釈されるかの少なくともいずれかが行われ得る。
【００７６】
次いで、マルチメディアオブジェクトは一次及びニ次入力信号に応答して、又は合成済みの入力信号に応答して生成される（ブロック４２５）。次いで、マルチメディアオブジェクトは保存される（ブロック４３０）。例えば、マルチメディアオブジェクトの保存と再生とは、一次デバイス１００とマルチメディア端末３０５との少なくともいずれかにおいて行うことができる。
【００７７】
ブロック４１０においてユーザが既存のオブジェクトの修正を選択した場合、既存のオブジェクトは記憶装置から取り出される（ブロック４３５）。マルチメディアオブジェクトは、例えば一次デバイスの揮発性メモリと不揮発性メモリ２３０との少なくともいずれかのメモリに保存されるか、マルチメディアサーバの揮発性メモリと不揮発性メモリとの少なくともいずれかのメモリに保存されるかの少なくともいずれかが行われ得る。
【００７８】
次いで、ユーザは、上述したように一次入力タイプ及び補助入力タイプを選択することができる（ブロック４３７）。次いで、既存のオブジェクトは、例えば、一次デバイス１００のディスプレイ２１０と、スピーカ２３５との少なくともいずれかを用いて一次デバイス１００において再生される。
【００７９】
次に、一次デバイス１００と補助デバイス２００とは、ユーザによるこれらのデバイスの運動と、該デバイスの入力装置の起動とに応答して一次入力信号及び補助入力信号の生成を開始する（ブロック４４５）。補助入力信号は補助デバイス２００によって一次デバイス１００へ送信される。
【００８０】
一次入力信号及び補助入力信号はオプションとして合成することができる（ブロック４５０）。例えば、一次入力信号及び補助入力信号は、マルチメディア端末３０５を用いて、通信リンク３１２を介して一次デバイス１００によって転送されることができ（図３）、一次入力信号及び補助入力信号は、マルチメディア端末３０５において合成されるか、解釈されるかの少なくともいずれかを行うことができる。
【００８１】
次いで、既存のマルチメディアオブジェクトは一次及び二次入力信号に応答して、又は、合成済みの入力信号に応答して修正される（ブロック４５５）。最後に修正済みのマルチメディアオブジェクトは保存される（ブロック４３０）。
【００８２】
図面及び明細書において、本発明の例示の実施形態が開示された。しかしながら、これらの実施形態については、本発明の原理から実質的に逸脱することなく、多くの変形や変更を行うことができる。したがって、具体的な用語を使用したが、それらは、総称的で説明的意味合いでのみ、また限定を目的とはせずに、使用されたものであり、本発明の範囲は添付の特許請求の範囲により規定される。
【図１】
2010527188.tif 000003
【図２】
2010527188.tif 000004
【図３Ａ】
2010527188.tif 000005
【図３Ｂ】
2010527188.tif 000006
【図４】
2010527188.tif 000007
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
モバイルデバイスを動作させる方法であって、
前記モバイルデバイスに関連づけられたセンサを用いて、無線通信ネットワークと通信するように構成された送受信器を有する前記モバイルデバイスの動きを検出し、前記モバイルデバイスの前記動きを示す信号を生成するステップと、
前記モバイルデバイスに関連づけられた補助デバイスのセンサから、前記補助デバイスの並進及び回転の少なくともいずれかの動きを示す加速度計の信号を含む補助センサ信号を受信するステップと、
前記モバイルデバイスの前記動きと、前記補助センサ信号との少なくともいずれかに応答してマルチメディアオブジェクトを生成するステップと、
前記マルチメディアオブジェクトを保存するステップと、
を含むことを特徴とする方法。
【請求項２】
合成入力信号を形成するために、前記モバイルデバイスの前記動きを示す信号を前記補助センサ信号と合成するステップをさらに含み、
前記マルチメディアオブジェクトを生成する前記ステップは、前記合成入力信号に応答して実行されることを特徴とする請求項１に記載の方法。
【請求項３】
前記モバイルデバイスの前記動きを示す信号及び前記補助センサ信号を遠隔端末へ送信するステップをさらに含み、
合成入力信号を形成するために、前記モバイルデバイスの前記動きを示す信号を前記補助センサ信号と合成する前記ステップは、前記遠隔端末において実行されることを特徴とする請求項２に記載の方法。
【請求項４】
前記マルチメディアオブジェクトを生成する前記ステップは、前記モバイルデバイスの前記動きと、前記補助センサ信号と、前記補助デバイスの動きを示す信号とに応答して、前記マルチメディアオブジェクトを生成するステップを含むことを特徴とする請求項１ないし３のいずれか１項に記載の方法。
【請求項５】
前記マルチメディアオブジェクトは、音声ファイル、画像ファイル、ビデオ・ファイルのうちの少なくともいずれかのファイルを含み、
前記方法は、前記モバイルデバイスと前記補助デバイスとの少なくともいずれかを用いて、前記マルチメディアオブジェクトを再生するステップをさらに含むことを特徴とする請求項１ないし４のいずれか１項に記載の方法。
【請求項６】
前記マルチメディアオブジェクトを遠隔端末へ送信するステップと、
前記マルチメディアオブジェクトを前記遠隔端末に保存するステップと
をさらに含むことを特徴とする請求項１ないし５のいずれか１項に記載の方法。
【請求項７】
ＲＦ又は赤外線の通信インタフェースを含むショートレンジの無線通信インタフェースを用いて、前記補助センサ信号を前記モバイルデバイスへ送信するステップをさらに含むことを特徴とする請求項１ないし６のいずれか１項に記載の方法。
【請求項８】
前記モバイルデバイスの前記動きを検出する前記ステップに先立って、前記モバイルデバイスをマルチメディアコンテンツ生成モードとするステップを
さらに含むことを特徴とする請求項１ないし７のいずれか１項に記載の方法。
【請求項９】
前記マルチメディアコンテンツ生成モードにおいて、前記モバイルデバイスは、着呼の通知に応答してビジー状態信号を前記ネットワークへ送信するためと、前記無線通信ネットワークを介して受信した着呼を呼転送番号とボイスメールとの少なくともいずれかへ転送するためとの少なくともいずれかのために、前記無線通信ネットワークからの着呼アラートに応答しないように構成されることを特徴とする請求項８に記載の方法。
【請求項１０】
前記マルチメディアオブジェクトのオブジェクトタイプを選択するステップと、
前記モバイルデバイス及び前記補助デバイスの入力タイプを選択するステップとをさらに含むことを特徴とする請求項１ないし９のいずれか１項に記載の方法。
【請求項１１】
モバイルデバイスを動作させる方法であって、
既存のマルチメディアオブジェクトを取得するステップと、
前記モバイルデバイスに関連づけられたセンサを用いて、無線通信ネットワークと通信するように構成された送受信器を備えた前記モバイルデバイスの動きを検出し、前記モバイルデバイスの前記動きを示す信号を生成するステップと、
前記モバイルデバイスに関連づけられた補助デバイスの入力に応答して、前記補助デバイスの並進及び回転の少なくともいずれかの動きを示す加速度計の信号を含む補助センサ信号を受信するステップと、
修正されたマルチメディアオブジェクトを生成するために、前記モバイルデバイスの前記動きと前記補助センサ信号との少なくともいずれかに応答して前記既存のマルチメディアオブジェクトを修正するステップと、
前記修正されたマルチメディアオブジェクトを保存するステップと、
を含むことを特徴とする方法。
【請求項１２】
合成入力信号を形成するために、前記モバイルデバイスの前記動きを示す信号を前記補助センサ信号と合成するステップをさらに含み、
前記マルチメディアオブジェクトを修正する前記ステップは、前記合成入力信号に応答して実行されることを特徴とする請求項１１に記載の方法。
【請求項１３】
モバイルデバイスであって、
前記モバイルデバイスの動きを検出し、前記モバイルデバイスの動きを示す信号を生成するように構成されたセンサと、
無線通信ネットワークと通信するように構成された送受信器と、
補助デバイスから、前記補助デバイスの並進及び回転の少なくともいずれかの動きを示す加速度計の信号を含む補助センサ信号を受信するように構成されたショートレンジの無線通信インタフェースと、
前記モバイルデバイスの前記動きを示す信号と、前記補助センサ信号とのうちの少なくともいずれかの信号に応答してマルチメディアオブジェクトを生成し、前記マルチメディアオブジェクトを保存するように構成されたコントローラと、
を備えることを特徴とするモバイルデバイス。
【請求項１４】
前記コントローラは、合成入力信号を形成するために、前記モバイルデバイスの前記動きを示す信号を前記補助センサ信号と合成し、前記合成入力信号に応答して前記マルチメディアオブジェクトを生成するようにさらに構成されたことを特徴とする請求項１３に記載のモバイルデバイス。
【請求項１５】
前記コントローラは、前記モバイルデバイスをマルチメディアコンテンツ生成モードとするように構成され、該生成モードにおいて、前記モバイルデバイスは、着呼の通知に応答してビジー状態信号を前記無線通信ネットワークへ送信するためと、前記無線通信ネットワークを介して受信した着呼を呼転送番号とボイスメールとの少なくともいずれかへ転送するためとの少なくともいずれかのために、前記無線通信ネットワークからの着呼アラートに応答しないように構成されたことを特徴とする請求項１３または１４に記載のモバイルデバイス。
【請求項１６】
前記コントローラは、既存のマルチメディアオブジェクトを取得し、前記モバイルデバイスの前記動きを示す信号と前記補助センサ信号とに応答して前記既存のマルチメディアオブジェクトを修正するように構成されたことを特徴とする請求項１３ないし１５のいずれか１項に記載のモバイルデバイス。
【請求項１７】
前記センサは、第１の軸線に沿った直線的動きと、前記第１の軸に直交する第２の軸線に沿った回転する動きとを検知するように構成された一対の並列センサを含む動きセンサを備え、
前記動きセンサは、前記モバイルデバイスの前記動きを示す信号を生成するように構成されたことを特徴とする請求項１３ないし１６のいずれか１項に記載のモバイルデバイス。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
モバイルデバイスを動作させる方法であって、
前記モバイルデバイスに関連づけられたセンサを用いて、無線通信ネットワークと通信するように構成された送受信器を有する前記モバイルデバイスの動きを検出し、前記モバイルデバイスの前記動きを示す信号を生成するステップと、
前記モバイルデバイスに関連づけられた補助デバイスのセンサから、前記補助デバイスの並進及び回転の少なくともいずれかの動きを示す加速度計の信号を含む補助センサ信号を受信するステップと、
前記モバイルデバイスの前記動きと、前記補助センサ信号との少なくともいずれかに応答してマルチメディアオブジェクトを生成するステップと、
前記マルチメディアオブジェクトを保存するステップと、
を含むことを特徴とする方法。
【請求項２】
合成入力信号を形成するために、前記モバイルデバイスの前記動きを示す信号を前記補助センサ信号と合成するステップをさらに含み、
前記マルチメディアオブジェクトを生成する前記ステップは、前記合成入力信号に応答して実行されることを特徴とする請求項１に記載の方法。
【請求項３】
前記モバイルデバイスの前記動きを示す信号及び前記補助センサ信号を遠隔端末へ送信するステップをさらに含み、
合成入力信号を形成するために、前記モバイルデバイスの前記動きを示す信号を前記補助センサ信号と合成する前記ステップは、前記遠隔端末において実行されることを特徴とする請求項２に記載の方法。
【請求項４】
前記マルチメディアオブジェクトを生成する前記ステップは、前記モバイルデバイスの前記動きと、前記補助センサ信号と、前記補助デバイスの動きを示す信号とに応答して、前記マルチメディアオブジェクトを生成するステップを含むことを特徴とする請求項１に記載の方法。
【請求項５】
ＲＦ又は赤外線の通信インタフェースを含むショートレンジの無線通信インタフェースを用いて、前記補助センサ信号を前記モバイルデバイスへ送信するステップをさらに含むことを特徴とする請求項１に記載の方法。
【請求項６】
前記モバイルデバイスの前記動きを検出する前記ステップに先立って、前記モバイルデバイスをマルチメディアコンテンツ生成モードとするステップを
さらに含み、
前記マルチメディアコンテンツ生成モードにおいて、前記モバイルデバイスは、着呼の通知に応答してビジー状態信号を前記ネットワークへ送信するためと、前記無線通信ネットワークを介して受信した着呼を呼転送番号とボイスメールとの少なくともいずれかへ転送するためとの少なくともいずれかのために、前記無線通信ネットワークからの着呼アラートに応答しないように構成されることを特徴とする請求項１に記載の方法。
【請求項７】
既存のマルチメディアオブジェクトを取得するステップと、
修正されたマルチメディアオブジェクトを生成するために、前記モバイルデバイスの前記動きと前記補助センサ信号との少なくともいずれかに応答して前記既存のマルチメディアオブジェクトを修正するステップと、
を更に備えることを特徴とする請求項１に記載の方法。
【請求項８】
モバイルデバイスであって、
前記モバイルデバイスの動きを検出し、前記モバイルデバイスの動きを示す信号を生成するように構成されたセンサと、
無線通信ネットワークと通信するように構成された送受信器と、
補助デバイスから、前記補助デバイスの並進及び回転の少なくともいずれかの動きを示す加速度計の信号を含む補助センサ信号を受信するように構成されたショートレンジの無線通信インタフェースと、
前記モバイルデバイスの前記動きを示す信号と、前記補助センサ信号とのうちの少なくともいずれかの信号に応答してマルチメディアオブジェクトを生成し、前記マルチメディアオブジェクトを保存するように構成されたコントローラと、
を備えることを特徴とするモバイルデバイス。
【請求項９】
前記コントローラは、合成入力信号を形成するために、前記モバイルデバイスの前記動きを示す信号を前記補助センサ信号と合成し、前記合成入力信号に応答して前記マルチメディアオブジェクトを生成するようにさらに構成されたことを特徴とする請求項８に記載のモバイルデバイス。
【請求項１０】
前記コントローラは、前記モバイルデバイスをマルチメディアコンテンツ生成モードとするように構成され、該生成モードにおいて、前記モバイルデバイスは、着呼の通知に応答してビジー状態信号を前記無線通信ネットワークへ送信するためと、前記無線通信ネットワークを介して受信した着呼を呼転送番号とボイスメールとの少なくともいずれかへ転送するためとの少なくともいずれかのために、前記無線通信ネットワークからの着呼アラートに応答しないように構成されたことを特徴とする請求項９に記載のモバイルデバイス。
【国際調査報告】
2010527188.tif 000008
2010527188.tif 000009
2010527188.tif 000010